(57)【要約】【課題】  アフィリエイトプログラムを効率的にブログサイトに展開することができるアフィリエイト管理方法及びアフィリエイト管理サーバを提供する。【解決手段】  ブログサイト運営者端末３０を用いて、アフィリエイトプログラム参加者（ブログサイト運営者）の情報登録を行なう。ブログサイト管理サーバ４０は、ブログサイトＩＤを発行する。アフィリエイト管理サーバ２０の管理コンピュータ２１は、商品データをＸＭＬ形式のデータでアフィリエイト商品データ記憶部２２に蓄積する。ユーザ端末５０からブログサイト管理サーバ４０にアクセスがあった場合には、このブログサイトＩＤを用いてＸＭＬ形式の商品データをユーザ端末に提供する。そして、管理コンピュータ２１は、このブログサイトについての表示ログや成約ログをアフィリエイト履歴データ記憶部２３に記録する。【選択図】      図１
2007058387.tif 000002
【特許請求の範囲】
【請求項１】
ＥＣ事業者から提供される商品毎に、ＥＣ事業者システムのアドレス識別子と、この商品提供時のコミッションに関するデータとを記録したアフィリエイト商品データ記憶手段と、
ネットワークを介して、ＥＣ事業者システム及びブログサイト運営者端末に接続される管理コンピュータとを備えたアフィリエイト管理サーバを用いて、アフィリエイトを管理する方法であって、
前記管理コンピュータが、
前記ブログサイト運営者端末からアフィリエイト商品の登録要求を受けた場合、前記アフィリエイト商品データ記憶手段から前記登録要求の対象の商品データを抽出する段階と、
前記抽出した商品データをコミッションの高い順番にソートし、商品毎にＥＣ事業者システムのアドレス識別子を埋め込んだリンクオブジェクトの一覧表示データを生成する段階と、
前記一覧表示データを前記ブログサイト運営者端末に送信する段階と
を実行することを特徴とするアフィリエイト管理方法。
【請求項２】
前記アフィリエイト管理サーバは、ブログサイト運営者に割り振られたアフィリエイト識別子毎に履歴を管理する履歴データ記憶手段を更に備え、
前記管理コンピュータが、
前記ＥＣ事業者システムから前記リンクオブジェクトに基づく販売実績をアフィリエイト識別子毎に受信した場合には、前記履歴データ記憶手段に履歴を記録する段階と、
前記履歴データ記憶手段に記録された履歴と前記アフィリエイト商品データ記憶手段に記録されたコミッションに基づいてアフィリエイト識別子毎に報酬を計算し、前記ブログサイト運営者に前記報酬を支払うための処理を実行する段階と
を実行することを特徴とする請求項１に記載のアフィリエイト管理方法。
【請求項３】
前記管理コンピュータが、前記ＥＣ事業者システムから商品データを受信した場合には、ＸＭＬ形式のデータに変換して、前記アフィリエイト商品データ記憶手段に記録することを特徴とする請求項１又は２に記載のアフィリエイト管理方法。
【請求項４】
ＥＣ事業者から提供される商品毎に、ＥＣ事業者システムのアドレス識別子と、この商品提供時のコミッションに関するデータとを記録したアフィリエイト商品データ記憶手段と、
ネットワークを介して、ＥＣ事業者システム及びブログサイト運営者端末に接続される管理コンピュータとを備えたアフィリエイト管理サーバであって、
前記管理コンピュータが、
前記ブログサイト運営者端末からアフィリエイト商品の登録要求を受けた場合、前記アフィリエイト商品データ記憶手段から前記登録要求の対象の商品データを抽出する手段と、
前記抽出した商品データをコミッションの高い順番にソートし、商品毎にＥＣ事業者システムのアドレス識別子を埋め込んだリンクオブジェクトの一覧表示データを生成する手段と、
前記一覧表示データを前記ブログサイト運営者端末に送信する手段と
を備えたことを特徴とするアフィリエイト管理サーバ。
【請求項５】
前記アフィリエイト管理サーバは、ブログサイト運営者に割り振られたアフィリエイト識別子毎に履歴を管理する履歴データ記憶手段を更に備え、
前記管理コンピュータが、
前記ＥＣ事業者システムから前記リンクオブジェクトに基づく販売実績をアフィリエイト識別子毎に受信した場合には、前記履歴データ記憶手段に履歴を記録する手段と、
前記履歴データ記憶手段に記録された履歴と前記アフィリエイト商品データ記憶手段に記録されたコミッションに基づいてアフィリエイト識別子毎に報酬を計算し、前記ブログサイト運営者に前記報酬を支払うための処理を実行する手段と
を備えた特徴とする請求項４に記載のアフィリエイト管理サーバ。
【請求項６】
前記管理コンピュータが、前記ＥＣ事業者システムから商品データを受信した場合には、ＸＭＬ形式のデータに変換して、前記アフィリエイト商品データ記憶手段に記録することを特徴とする請求項４又は５に記載のアフィリエイト管理サーバ。
【発明の詳細な説明】
【技術分野】
【０００１】
本発明は、ウェブサイト等の運営者と、インターネット上で物販やサービス提供を行なう企業とが広告掲載を通じて業務提携を行なう場合に用いるアフィリエイト管理方法及びアフィリエイト管理サーバに関する。
【背景技術】
【０００２】
インターネット上のＥＣサイトへのアクセスを増大させる手法として、ウェブページにバナー広告を掲載し、このバナー広告をクリックすることでＥＣサイトに接続させるようにする手法がある。このような広告掲載の手法の一つとして、経由したウェブページの管理者に成功報酬が支払われる広告配信手法が注目されている。この手法はアフィリエイトプログラムと呼ばれている。このアフィリエイトプログラムでは、その商品やサービスに関連した情報を掲載するウェブページ等が主な対象となる。そして、ＥＣ事業者にとっては、潜在的に商品に関心を持つ層に容易に到達できるというメリットがある。
【０００３】
更に、バナー広告を通してサービスの契約が成立したとき又は商品の販売がされたときに成功報酬等をホームページ運営者に支払うことによりバナー広告の宣伝効果を高める技術も開示されている（例えば、特許文献１参照。）。この技術では、ホームページ運営者が、広告主との間でアフィリエイトプログラムの会員登録（アフィリエイト登録）を行ない、ホームページ運営者が、広告主から提供されるサービスに関するバナー広告を選択し、バナー広告を自己のホームページに貼り付ける。ユーザが、バナー広告が貼り付けられたホームページを読み出すと共に、ホームページからバナー広告の広告主のウェブページに飛んで、そのサービスについて広告主と取引を行なう。そして、サービスについてユーザとの取引が成立した際に、広告主がホームページ運営者にその成功報酬を支払う。
【０００４】
また、最近、個人により運営され、日々更新される日記的なウェブサイト（ブログサイト）が急速に普及しつつある。ここでは、時系列にウェブページを自動生成する機能や他のサイトの記事との連携機能（トラックバック）、コメント機能などを備えたブログサイトシステムで運営されている場合もある。
【特許文献１】特開２００２−１３３２８２号公報（図１）
【発明の開示】
【発明が解決しようとする課題】
【０００５】
アフィリエイトプログラムにおいては、広告掲載者と広告主とのパートナーシップが大切である。また、上述のブログサイトにおいては、個人の意見や批評、解説等を掲載することが多く、ブログサイトにおいてアフィリエイトプログラムを実施できれば有益である。しかし、ブログサイトシステムの利点は、ウェブコンテンツを構成するテキストや画像、レイアウト情報などを一元的に保存・管理し、サイトを構築したり編集したりすることができる簡易なコンテンツマネジメントにある。従来は、ブログサイト運営者が各アフィリエイトサービスプロバイダと個別に契約する必要があり、手間であった。また、ブログサイトにおいて多種多様な話題を掲載することが多いが、個別にＥＣ事業者のアフィリエイトプログラムに参加する場合、特定のアイテムに限定されるため、普及できない状況にある。
【０００６】
本発明は、上記課題を解決するためになされたものであり、その目的は、アフィリエイトプログラムを効率的にブログサイトに展開することができるアフィリエイト管理方法及びアフィリエイト管理サーバを提供することにある。
【課題を解決するための手段】
【０００７】
上記問題点を解決するために、請求項１に記載の発明は、ＥＣ事業者から提供される商品毎に、ＥＣ事業者システムのアドレス識別子と、この商品提供時のコミッションに関するデータとを記録したアフィリエイト商品データ記憶手段と、ネットワークを介して、ＥＣ事業者システム及びブログサイト運営者端末に接続される管理コンピュータとを備えたアフィリエイト管理サーバを用いて、アフィリエイトを管理する方法であって、前記管理コンピュータが、前記ブログサイト運営者端末からアフィリエイト商品の登録要求を受けた場合、前記アフィリエイト商品データ記憶手段から前記登録要求の対象の商品データを抽出する段階と、前記抽出した商品データをコミッションの高い順番にソートし、商品毎にＥＣ事業者システムのアドレス識別子を埋め込んだリンクオブジェクトの一覧表示データを生成する段階と、前記一覧表示データを前記ブログサイト運営者端末に送信する段階とを実行することを要旨とする。
【０００８】
請求項２に記載の発明は、請求項１に記載のアフィリエイト管理方法において、前記アフィリエイト管理サーバは、ブログサイト運営者に割り振られたアフィリエイト識別子毎に履歴を管理する履歴データ記憶手段を更に備え、前記管理コンピュータが、前記ＥＣ事業者システムから前記リンクオブジェクトに基づく販売実績をアフィリエイト識別子毎に受信した場合には、前記履歴データ記憶手段に履歴を記録する段階と、前記履歴データ記憶手段に記録された履歴と前記アフィリエイト商品データ記憶手段に記録されたコミッションに基づいてアフィリエイト識別子毎に報酬を計算し、前記ブログサイト運営者に前記報酬を支払うための処理を実行する段階とを実行することを要旨とする。
【０００９】
請求項３に記載の発明は、請求項１又は２に記載のアフィリエイト管理方法において、前記管理コンピュータが、前記ＥＣ事業者システムから商品データを受信した場合には、ＸＭＬ形式のデータに変換して、前記アフィリエイト商品データ記憶手段に記録することを要旨とする。
【００１０】
請求項４に記載の発明は、ＥＣ事業者から提供される商品毎に、ＥＣ事業者システムのアドレス識別子と、この商品提供時のコミッションに関するデータとを記録したアフィリエイト商品データ記憶手段と、ネットワークを介して、ＥＣ事業者システム及びブログサイト運営者端末に接続される管理コンピュータとを備えたアフィリエイト管理サーバであって、前記管理コンピュータが、前記ブログサイト運営者端末からアフィリエイト商品の登録要求を受けた場合、前記アフィリエイト商品データ記憶手段から前記登録要求の対象の商品データを抽出する手段と、前記抽出した商品データをコミッションの高い順番にソートし、商品毎にＥＣ事業者システムのアドレス識別子を埋め込んだリンクオブジェクトの一覧表示データを生成する手段と、前記一覧表示データを前記ブログサイト運営者端末に送信する手段とを備えたことを要旨とする。
【００１１】
請求項５に記載の発明は、請求項４に記載のアフィリエイト管理サーバにおいて、前記アフィリエイト管理サーバは、ブログサイト運営者に割り振られたアフィリエイト識別子毎に履歴を管理する履歴データ記憶手段を更に備え、前記管理コンピュータが、前記ＥＣ事業者システムから前記リンクオブジェクトに基づく販売実績をアフィリエイト識別子毎に受信した場合には、前記履歴データ記憶手段に履歴を記録する手段と、前記履歴データ記憶手段に記録された履歴と前記アフィリエイト商品データ記憶手段に記録されたコミッションに基づいてアフィリエイト識別子毎に報酬を計算し、前記ブログサイト運営者に前記報酬を支払うための処理を実行する手段とを備えことを要旨とする。
【００１２】
請求項６に記載の発明は、請求項４又は５に記載のアフィリエイト管理サーバにおいて、前記管理コンピュータが、前記ＥＣ事業者システムから商品データを受信した場合には、ＸＭＬ形式のデータに変換して、前記アフィリエイト商品データ記憶手段に記録するこ
とを要旨とする。
【００１３】
（作用）
請求項１又は４に記載の発明によれば、ブログサイト運営者端末からの登録要求に応じて抽出した商品データをコミッションの高い順番にソートした一覧表示データを生成し、ブログサイト運営者端末に送信する。これにより、ブログサイト運営者は多様なＥＣ事業者が提供する商品を有利な条件でブログサイトに利用して、アフィリエイトプログラムに参加することができる。更に、一覧表示データには、商品毎にＥＣ事業者システムのアドレス識別子を埋め込んだリンクオブジェクトを含む。これにより、ブログサイト運営者端末はブログサイトにおいて、容易にＥＣ事業者システムに対するリンクを張ることができる。
【００１４】
請求項２又は５に記載の発明によれば、アフィリエイト管理サーバは、ブログサイト運営者に割り振られたアフィリエイト識別子毎に履歴を管理する履歴データ記憶手段を更に備える。履歴データ記憶手段に記録された履歴と前記アフィリエイト商品データ記憶手段に記録されたコミッションに基づいてアフィリエイト識別子毎に報酬を計算し、ブログサイト運営者に報酬を支払うことができる。
【００１５】
請求項３又は６に記載の発明によれば、管理コンピュータが、前記ＥＣ事業者システムから商品データを受信した場合には、ＸＭＬ形式のデータに変換して、ブログサイト運営者端末に提供することができる。
【発明の効果】
【００１６】
本発明によれば、アフィリエイトプログラムを効率的にブログサイトに展開することができる。
【発明を実施するための最良の形態】
【００１７】
以下、本発明を具体化した一実施形態を、図１〜図１２に従って説明する。本実施形態では、ブログサイト運営者が、アフィリエイトプログラムを利用して、他のユーザにＥＣ事業者が提供する商品を紹介するためのアフィリエイト管理方法及びアフィリエイト管理サーバとして説明する。このアフィリエイトプログラムでは、ブログサイト運営者が自身のブログサイトにおいて商品を紹介し、この紹介に基づいてユーザが商品を購入した場合、ブログサイト運営者に報酬（手数料）が支払われる。この報酬は、ＥＣ事業者が設定したコミションに基づく。なお、本願発明においては、「ブログサイト」には、狭義のブログのみならず、何らかのコミュニティを形成することができるインターネット上のサービスをも含む。例えば、参加者が互いに友人を紹介しあって、新たな友人関係を広げることを目的に開設されたコミュニティ型の「ＳＮＳ（Social Networking Service ）」等も含む。
【００１８】
このシステムでは、図１に示すように、ＥＣ事業者システム１０、アフィリエイト管理サーバ２０、ブログサイト運営者端末３０、ブログサイト管理サーバ４０及びユーザ端末５０が、ネットワークとしてのインターネットＩを介して相互に接続される。
【００１９】
ＥＣ事業者システム１０は、各種商品を提供する事業者が商品を管理するためのコンピュータシステムである。本実施形態では、複数のＥＣ事業者から商品が提供されるため、複数のＥＣ事業者システム１０がインターネットＩに接続される。このＥＣ事業者システム１０は、各ＥＣ事業者が提供する商品に関するデータを管理する商品データ記憶部１１を備える。この商品データ記憶部１１には、商品毎に商品概要（商品画像、商品名称、商品説明、価格、カテゴリ、コミッション）に関するデータが記録される。商品画像、商品名称、商品説明、価格、カテゴリデータ領域には、この商品の商品名称や、ＥＣ事業者が
設定した商品説明、価格、この商品が属するカテゴリに関するデータが記録される。また、コミッションデータ領域には、商品がブログサイト運営者の紹介に基づいて販売できた場合にブログサイト運営者に支払う報酬（手数料）に関するデータが記録される。
【００２０】
アフィリエイト管理サーバ２０は、複数のＥＣ事業者から提供される商品をブログサイト運営者に紹介するサーバコンピュータである。アフィリエイト管理サーバ２０は、図１に示すように管理コンピュータ２１を備えている。管理コンピュータ２１は、複数のＥＣ事業者から提供される商品データの管理処理等を行なう。
【００２１】
管理コンピュータ２１は、図示しないＣＰＵ、ＲＡＭ及びＲＯＭ等を有し、後述する処理（登録要求の対象の商品データを抽出する段階、リンクオブジェクトの一覧表示データを生成する段階、一覧表示データをブログサイト運営者端末に送信する段階等を含む処理）を行なう。このためのアフィリエイト管理システムを実行することにより、管理コンピュータ２１は、登録要求の対象の商品データを抽出する手段、リンクオブジェクトの一覧表示データを生成する手段、一覧表示データをブログサイト運営者端末に送信する手段等として機能する。
【００２２】
また、管理コンピュータ２１は、アフィリエイト商品データ記憶手段としてのアフィリエイト商品データ記憶部２２、履歴データ記憶手段としてのアフィリエイト履歴データ記憶部２３に接続されている。図２（ａ）に示すように、アフィリエイト商品データ記憶部２２には、ＥＣ事業者が提供するアフィリエイト商品データ２２０が記録されている。このアフィリエイト商品データ２２０は、ＥＣ事業者システム１０からＥＣ事業者が提供する商品データを受信した場合に記録される。アフィリエイト商品データ２２０は、商品識別子、ＥＣ事業者識別子、商品画像、商品名称、商品説明、価格、ＡＦリンク、カテゴリ及びコミッションに関するデータを含んで構成されている。このアフィリエイト商品データ２２０はＸＭＬ形式のフォーマットで格納される。
【００２３】
商品識別子データ領域には、各商品を特定するために割り振られた識別子に関するデータが記録される。
ＥＣ事業者識別子データ領域には、各商品を提供するＥＣ事業者を特定するために割り振られた識別子に関するデータが記録される。
【００２４】
ＡＦリンクデータ領域には、この商品を提供するＥＣ事業者のＥＣ事業者システム１０を特定する場合に用いるリンク先に関するデータが記録される。このＡＦリンクは、インターネット上のＥＣ事業者システム１０のロケーションを示すＵＲＬ（Uniform Resource
Locator）により構成される。
商品画像、商品名称、商品説明、価格、カテゴリ、コミッションデータ領域には、この商品を提供するＥＣ事業者システム１０から提供されたデータが記録される。
【００２５】
一方、アフィリエイト履歴データ記憶部２３には、アフィリエイトプログラムにおけるアクティビティに関するアフィリエイト履歴データが記録される。このアフィリエイト履歴データは、ブログサイト運営者がアフィリエイトプログラムに参加した場合に設定される。アフィリエイト履歴データは、ブログサイトＩＤ毎に、ＥＣ事業者識別子、表示回数、クリック回数、クリック報酬、成約報酬及び定額報酬に関するデータを含んで構成される。
【００２６】
ブログサイトＩＤデータ領域には、アフィリエイトプログラムに参加したアフィリエイト（ブログサイト運営者）を特定するためのアフィリエイト識別子に関するデータが記録される。
【００２７】
ＥＣ事業者識別子データ領域には、このブログサイトを経由してアクセスされたＥＣ事業者を特定するための識別子に関するデータが記録される。
表示回数データ領域には、このＥＣ事業者の商品のアフィリエイト広告の表示回数に関するデータが記録される。
【００２８】
クリック回数データ領域には、このＥＣ事業者の商品のアフィリエイト広告が選択された回数に関するデータが記録される。
クリック報酬データ領域には、このＥＣ事業者がクリック回数に応じた報酬を設定している場合に、このアフィリエイトの報酬に関するデータが記録される。
【００２９】
成約報酬データ領域には、このＥＣ事業者が成約回数に応じた報酬を設定している場合に、このアフィリエイトの報酬に関するデータが記録される。
定額報酬データ領域には、このＥＣ事業者が定額報酬を設定している場合に、このアフィリエイトの報酬に関するデータが記録される。
【００３０】
ブログサイト運営者端末３０は、ブログサイトを運営しているインターネット利用者（いわゆる「ブロガ」）のコンピュータ端末である。ブログサイト運営者は、ブログサイト運営者端末３０を利用して、ブログサイト管理サーバ４０にアクセスし、自身のブログサイトのコンテンツを作成する。本実施形態では、このブログサイトの中で、アフィリエイト商品の紹介を行なう。このため、ブログサイト運営者端末３０には、インターネットＩを介して取得したＨＴＭＬ形式等のデータを表示させるためのブラウザソフトウエアを格納する。
【００３１】
ブログサイト管理サーバ４０は、ブログサイト運営者が作成したブログサイトに関するデータを管理するサーバコンピュータである。このブログサイト管理サーバ４０は、アフィリエイトデータ記憶部４２を備える。図２（ｂ）に示すように、アフィリエイトデータ記憶部４２には、アフィリエイトプログラムに参加したアフィリエイトの属性に関するアフィリエイトデータ４２０が記録される。このアフィリエイトデータ４２０は、ブログサイト運営者がアフィリエイトプログラムに参加した場合に設定される。このアフィリエイトデータ４２０は、ブログサイトＩＤ、ＰＡＳＳ、振込先に関するデータを含んで構成されている。
【００３２】
ブログサイトＩＤデータ領域には、アフィリエイトプログラムに参加する場合に付与される各ブロガを特定するために割り振られた識別子に関するデータが記録される。
ＰＡＳＳデータ領域には、ブログサイト運営者が設定したパスワードに関するデータが記録される。
振込先データ領域には、報酬を振り込むためのブログサイト運営者の預金口座に関するデータが記録される。
【００３３】
一方、ユーザ端末５０は、ブログサイトを閲覧するユーザのコンピュータ端末である。このユーザ端末５０にも、インターネットＩを介して取得したＨＴＭＬ形式等のデータを表示させるためのブラウザソフトウエアを格納する。
【００３４】
上記のように構成されたシステムを用いて、ブログサイトへのアフィリエイト商品の登録、商品の購入時の処理手順を、図３、図４を用いて説明する。
（アフィリエイト商品の登録処理）
まず、ブログサイト運営者がアフィリエイトプログラムに参加する場合には、ブログサイト管理サーバ４０に対して登録を行なう必要がある。この処理手順を図３を用いて説明する。
【００３５】
この場合、ブログサイト運営者端末３０を用いて、アフィリエイトプログラム参加者（ブログサイト運営者）の情報登録を行なう（ステップＳ１−１）。まず、ブログサイト運営者端末３０を用いてブログサイト管理サーバ４０に接続する。ここでは、ブログサイト運営者の利用者認証が行なわれた後、ブログサイト運営者端末３０のディスプレイには、図５に示す表示画面５００が出力される。この表示画面５００は、ブログサイトを作成する場合に用いられる。ブログサイトを作成する場合には、タイトル入力欄５０１にはブログサイトのタイトル、本文入力欄５０２にはブログサイトの内容を入力する。ここでは、アフィリエイトの登録を行なうために、アフィリエイトボタン５０３を選択する。この場合、ブログサイト運営者端末３０のディスプレイには、表示画面５１０が出力される。この表示画面５１０には、ＩＤ表示欄、パスワード入力欄及び報酬の振込先入力欄が含まれる。
【００３６】
表示画面５１０の各欄に入力を行なったブログサイト運営者は、登録ボタンを選択する。この場合、ブログサイト運営者端末３０は、アフィリエイト登録要求をブログサイト管理サーバ４０に送信する。このアフィリエイト登録要求は、ＩＤとともに表示画面５１０に入力されたパスワード、振込先に関するデータを含む。
【００３７】
アフィリエイト登録要求を受信したブログサイト管理サーバ４０は、ブログサイトＩＤを発行する（ステップＳ１−２）。具体的には、このアフィリエイト登録要求に含まれるパスワード、振込先に関するデータをブログサイトＩＤに関連付けてブログサイト運営者毎にアフィリエイトデータ記憶部４２に登録する。その後、ブログサイト管理サーバ４０は、発行したブログサイトＩＤをブログサイト運営者端末３０に送信する。
【００３８】
そして、ブログサイト運営者端末３０はブログサイトＩＤを取得する（ステップＳ１−３）。この場合、ブログサイト運営者端末３０のディスプレイには、図５に示す表示画面５２０が出力される。そして、確認ボタンを選択することにより、図５に示す表示画面５３０が出力される。この表示画面５３０には、アフィリエイトリンク（ＡＦリンク）ボタン、アフィリエイトレポート（ＡＦレポート）参照ボタンが含まれる。ＡＦリンクボタンは、ブログサイトにおいてアフィリエイト商品を紹介する場合に用いる。ＡＦレポート参照ボタンは、アフィリエイトの利用状況を確認するためのボタンである。
【００３９】
次に、ＥＣ事業者による商品の登録について説明する。
まず、ＥＣ事業者システム１０は、商品データ記憶部１１に記録された商品データをアフィリエイト管理サーバ２０にアップロードする（ステップＳ１−４）。この商品データはＣＳＶ形式で記載され、商品毎に商品画像、商品名称、商品説明、価格の各項目に関するデータを含む。
【００４０】
この商品データを受信したアフィリエイト管理サーバ２０の管理コンピュータ２１は、ＣＳＶ（Comma Separated Value ）形式のデータをＸＭＬ（Extensible Markup Language）形式のデータに変換する（ステップＳ１−５）。具体的には、ＣＳＶ形式に含まれる各項目のデータに、項目順にＸＭＬにより設定された各タグを割り振ることによりＸＭＬ形式のデータに変換する。
【００４１】
そして、管理コンピュータ２１は、生成したＸＭＬ形式のデータをアフィリエイト商品データ記憶部２２に記録する（ステップＳ１−６）。この場合、管理コンピュータ２１は、更に、ＥＣ事業者システム１０のリンク先を特定して、これをＡＦリンクとしてアフィリエイト商品データ２２０に含めて記録する。この場合、管理コンピュータ２１は、商品画像データに、アドレス識別子としてのＡＦリンクに関するデータを埋め込んでおく。これにより、表示された画像はリンクオブジェクトとして機能し、クリックされた場合にはＡＦリンク先にリンクデータを送信する。
【００４２】
次に、ブログサイト運営者によるブログサイトへの商品の登録について説明する。ブログサイトにアフィリエイト商品を登録する場合には、図５に示す表示画面５３０のＡＦリンクボタンを用いる。
【００４３】
表示画面５３０のＡＦリンクボタンがクリックされた場合、ブログサイト運営者端末３０は、アフィリエイト管理サーバ２０にアクセスを行なう（ステップＳ１−７）。まず、ブログサイト運営者端末３０を用いて、ブログサイト管理サーバ４０に接続する。この場合、ブログサイト運営者端末３０には、図６に示す表示画面５４０が出力される。この表示画面５４０には、ブログサイト運営者が掲載を希望する商品のカテゴリを選択するためのメニュー欄と、商品を検索するための検索キーワード入力欄、検索実行ボタンを含む。ここでは、「フード・ドリンク」のカテゴリ、キーワードとしての「メロン」を用いる。表示画面５４０の検索実行ボタンが選択された場合、ブログサイト運営者端末３０は、アフィリエイト管理サーバ２０に検索要求を送信する。この検索要求は、検索対象を特定するために、表示画面５４０に入力されたカテゴリ、キーワードに関するデータを含む。
【００４４】
検索要求を受信したアフィリエイト管理サーバ２０の管理コンピュータ２１は、ＸＭＬ形式のデータをブログサイト運営者端末３０に提供する（ステップＳ１−８）。この場合、管理コンピュータ２１は、カテゴリ、キーワードに基づいてアフィリエイト商品データ記憶部２２からアフィリエイト商品データ２２０を抽出する。更に、管理コンピュータ２１は、コミッションの大きい順にＸＭＬ形式のアフィリエイト商品データ２２０を並び替えて一覧表示させるＨＴＭＬ形式のファイルを生成する。そして、管理コンピュータ２１は、この一覧表示データを、ブログサイト運営者端末３０に送信する。
【００４５】
一覧表示データを受信したブログサイト運営者端末３０のディスプレイには、図６に示す表示画面５５０が出力される。そこで、ブログサイト運営者は、表示画面５５０の一覧表示の中からアフィリエイトプログラムへの参加を希望する商品を選択する。そして、「レビューを書く」ボタンを選択する。この場合、ブログサイト運営者端末３０のディスプレイには、図７に示す表示画面５６０が出力される。この表示画面５６０には、商品概要とレビュー入力欄とが含まれる。このレビュー入力欄には、この商品に関する感想やコメント等、ブログサイト運営者のレビューを入力する。
【００４６】
ここで、表示画面５６０の確認画面ボタンを選択した場合、ブログサイト運営者端末３０のディスプレイには、図８に示す表示画面５７０が出力される。この表示画面５７０は、ブログサイトでの表示内容を確認するための画面である。内容を修正する場合には修正ボタンを選択する。この内容をブログサイトとして登録する場合には、表示画面５７０の投稿ボタンを選択する。
【００４７】
この場合、ブログサイト運営者端末３０は、ブログサイト登録要求をブログサイト管理サーバ４０に送信する（ステップＳ１−９）。このブログサイト登録要求は、レビュー内容及び選択された商品画像に関するデータを含む。
【００４８】
ブログサイト登録要求を受信したブログサイト管理サーバ４０は、ブログサイトのコンテンツをデータ記憶部に格納する（ステップＳ１−１０）。この場合、ブログサイト管理サーバ４０は、ブログサイト運営者のブログサイトの中で、ブログサイトＩＤに関連付けてアフィリエイト商品に関するデータを格納する。
【００４９】
（商品の購入処理）
次に、ブログサイトの閲覧者が商品購入する場合の処理を図４に従って説明する。
ブログサイトを閲覧する場合には、ユーザ端末５０を用いて、ブログサイト管理サーバ
４０にアクセスする（ステップＳ２−１）。
【００５０】
この場合、ブログサイト管理サーバ４０は、アクセスのあったブログサイトについて、アフィリエイト商品が含まれているかどうかを確認する。そして、アフィリエイトプログラムを利用している場合には、ブログサイト運営者のブログサイトＩＤを付与したリクエストをアフィリエイト管理サーバ２０に送信する（ステップＳ２−２）。
【００５１】
このリクエストを受信したアフィリエイト管理サーバ２０の管理コンピュータ２１は、ＸＭＬ形式のデータを配信する（ステップＳ２−３）。具体的には、この時の最新の商品情報をアフィリエイト商品データ記憶部２２から取得し、ブログサイト管理サーバ４０に送信する。この場合、管理コンピュータ２１は、このブログサイトについての表示ログをアフィリエイト履歴データ記憶部２３に記録する。
【００５２】
そして、ブログサイト管理サーバ４０は、アフィリエイト管理サーバ２０から取得した商品情報を、ブログサイトに添付しユーザ端末５０に送信する（ステップＳ２−４）。この場合、ユーザ端末５０のディスプレイには、図９に示す表示画面５８０が出力される。
【００５３】
ブログサイト閲覧者が気に入った商品を見つけた場合には、ユーザ端末５０を用いて商品の選択・購入を行なう（ステップＳ２−５）。この場合には、表示画面５８０において、商品画像を選択することにより、購入要求を行なう。具体的には、ユーザ端末５０は、商品画像に埋め込まれたＡＦリンクデータを用いて、ＥＣ事業者システム１０に商品の詳細要求を送信する。この場合、ＥＣ事業者システム１０はユーザ端末５０との間で取引処理を行なう。具体的には、商品の詳細情報の提供処理、取引処理を実行する。
【００５４】
そして、ＥＣ事業者システム１０は、アフィリエイト管理サーバ２０に売上ログを送信する（ステップＳ２−６）。この売上ログは、ブログＩＤに対応した販売実績に関するデータを含む。そして、管理コンピュータ２１は、このブログサイトについての成約ログをアフィリエイト履歴データ記憶部２３に記録する。
【００５５】
この売上ログを受信したアフィリエイト管理サーバ２０の管理コンピュータ２１が、ブログサイト運営者毎にログの集計を行なう（ステップＳ２−７）。
次に、アフィリエイト管理サーバ２０によるレポートと手数料の支払いに関する処理について説明する。
【００５６】
ブログサイト運営者が、アフィリエイトの利用状況を確認する場合には、ブログサイト運営者端末３０のディスプレイに、図５に示す表示画面５３０を出力させる。そして、表示画面５３０のＡＦレポート参照ボタンを選択する。この場合、ブログサイト運営者端末３０は、アフィリエイト管理サーバ２０にレポート要求を送信する。レポート要求には、ブログサイトＩＤに関するデータを含む。
【００５７】
この場合、アフィリエイト管理サーバ２０の管理コンピュータ２１は、このブログサイトＩＤについての手数料（報酬）に関するレポートを生成する（ステップＳ２−８）。具体的には、ブログサイトＩＤに関連付けてアフィリエイト履歴データ記憶部２３に記録されたデータに基づいてレポートを生成する。そして、管理コンピュータ２１は、このレポートを、ブログサイト管理サーバ４０に送信する。
【００５８】
このレポートを受信したブログサイト管理サーバ４０は、手数料レポートをブログサイト運営者端末３０に提供する（ステップＳ２−９）。
このレポートを受信したブログサイト運営者端末３０は、図１０に示す表示画面５９０をディスプレイに出力する（ステップＳ２−１０）。この表示画面５９０には、表示回数
、クリック回数、クリック報酬、成約報酬、定額報酬に関するデータを含む。ブログサイト運営者は、ディスプレイに出力された表示画面５９０を用いてレポートの確認を行なう。
【００５９】
次に、アフィリエイト管理サーバ２０の管理コンピュータ２１は手数料の請求を行なう（ステップＳ２−１１）。具体的には、管理コンピュータ２１は、アフィリエイト履歴データ記憶部２３に記録された履歴データに基づいてＥＣ事業者毎に手数料を総計し、各ＥＣ事業者システム１０に請求データを送信する。
【００６０】
ＥＣ事業者システム１０は、この請求に基づいて手数料の支払処理を行なう（ステップＳ２−１２）。
アフィリエイト管理サーバ２０の管理コンピュータ２１が手数料の入金を確認した場合、アフィリエイト履歴データ記憶部２３に記録された履歴データに基づいてブログサイト運営者毎に分配し、ブログサイト運営者が属するブログサイト管理サーバ４０の管理する口座への入金処理を行なう（ステップＳ２−１３）。
【００６１】
ブログサイト管理サーバ４０が手数料の入金を確認した場合、ブログサイト管理サーバ４０は、ブログサイト運営者毎に分配し、各ブログサイト運営者の振込先に手数料の支払処理を実行する（ステップＳ２−１４）。ここでは、ブログサイト管理サーバ４０は、ブログサイトＩＤ毎の履歴レポートに基づいてブログサイト運営者の報酬を割り振り、アフィリエイトデータ記憶部４２に記録された振込先を用いて入金を行なう。更に、ブログサイト運営者端末３０に入金通知を送信する。
【００６２】
ブログサイト運営者端末３０は手数料の受取処理を行なう（ステップＳ２−１５）。具体的には、ブログサイト運営者端末３０は、ブログサイト管理サーバ４０からの入金通知に基づいて入金を確認するための処理を実行する。
【００６３】
本実施形態によれば、以下のような効果を得ることができる。
・  本実施形態においては、ＥＣ事業者システム１０は、商品データ記憶部１１に記録された商品データをアフィリエイト管理サーバ２０にアップロードする（ステップＳ１−４）。この商品データを受信したアフィリエイト管理サーバ２０の管理コンピュータ２１は、ＣＳＶ形式のデータからＸＭＬ形式のデータに変換する（ステップＳ１−５）。このＸＭＬ形式のデータを用いることにより、容易にブラウザに表示させることができるので、ブログサイト運営者は簡単にアフィリエイト商品を提供することができる。
【００６４】
・  本実施形態においては、アフィリエイトプログラムに参加を希望するブログサイト運営者にはブログサイトＩＤが付与され、ブログサイト管理サーバ４０のアフィリエイトデータ記憶部４２に登録される。そして、ＥＣ事業者システム１０やアフィリエイト管理サーバ２０との間の連携は、このブログサイトＩＤを用いて行なわれる。このため、ブログサイト運営者はアフィリエイト管理サーバ２０への直接的な通信を意識することなく、ブログサイト管理サーバ４０を介してアフィリエイトプログラムに容易に参加することができる。アフィリエイト管理サーバ２０には、多くのＥＣ事業者システム１０からの商品データが蓄積されるので、ブログサイト運営者はブログサイト内に多様なアフィリエイトプログラムを展開することができ、アフィリエイトの対象を飛躍的に広げることができる。
【００６５】
また、ＥＣ事業者にとっても、最近急速な拡大を続けているブログサイトに対して、商品情報を提供することが可能となり、商品の拡販に対して、より効果的な広告の実施が可能となる。
【００６６】
・  本実施形態においては、ユーザ端末５０からブログサイトにアクセスがあった場合、ブログサイト管理サーバ４０は、ブログサイトにアフィリエイト商品が含まれているかどうかを確認する。そして、アフィリエイトプログラムを利用している場合には、ブログサイト運営者のブログサイトＩＤを付与したリクエストをアフィリエイト管理サーバ２０に送信する（ステップＳ２−２）。このリクエストを受信したアフィリエイト管理サーバ２０の管理コンピュータ２１は、ＸＭＬ形式のデータを配信する（ステップＳ２−３）。これにより、ユーザ端末５０に最新の商品情報を提供することができる。
【００６７】
（第２の実施形態）
次に、本発明を具体化した第２の実施形態を、図１１〜図１４に従って説明する。第１の実施形態では、ブログサイト管理サーバ４０とアフィリエイト管理サーバ２０とは、アフィリエイト識別子としてのブログサイトＩＤを用いて連携させた。これに代えて、第２の実施形態では、アフィリエイト識別子として、アフィリエイト管理サーバ２０から付与されたアフィリエイトＩＤを用いて、ブログサイト管理サーバ４０とアフィリエイト管理サーバ２０とを用いて連携させる。更に、本実施形態では、アフィリエイト管理サーバ２０が、アフィリエイトプログラムに参加したアフィリエイトの属性に関するアフィリエイトデータ４２０が記録されているアフィリエイトデータ記憶部４２を備える。
【００６８】
ここでは、まず、図１１に示すように、ブログサイト運営者端末３０を用いて、ブログサイト運営者の登録要求を送信する（ステップＳ３−１）。この場合も、第１実施形態と同様に、ブログサイト運営者端末３０のディスプレイに、図１３に示す表示画面５００を出力させる。そして、アフィリエイトの登録を行なうために、アフィリエイトボタン５０３を選択する。この場合、ブログサイト運営者端末３０のディスプレイには、表示画面６１０が出力される。この表示画面６１０には、アフィリエイト登録ボタンとアフィリエイトＩＤ入力欄とを備える。まず、アフィリエイト登録ボタンを選択する。この場合、ブログサイト運営者端末３０は、アフィリエイト管理サーバ２０に登録要求を送信する。
【００６９】
そして、アフィリエイト管理サーバ２０は、ブログサイト運営者端末３０のディスプレイに、図１３に示す表示画面６２０を出力する。この表示画面６２０には、アフィリエイトになるための個人情報（氏名、住所、ＰＡＳＳ、電話番号、振込先）の入力欄が設けられている。各入力欄の入力を行ない、登録ボタンを選択した場合、ブログサイト運営者端末３０は、アフィリエイト管理サーバ２０に個人情報を送信する。
【００７０】
この登録要求を受信したアフィリエイト管理サーバ２０の管理コンピュータ２１は、アフィリエイトＩＤを発行する（ステップＳ３−２）。この場合、ブログサイト運営者端末３０のディスプレイには、図１３に示す表示画面６３０が出力される。その後、この個人情報は、アフィリエイト管理サーバ２０のアフィリエイトデータ記憶部４２に記録される。
【００７１】
そして、ブログサイト運営者端末３０は、アフィリエイトＩＤを含む情報登録ＩＤを取得する（ステップＳ３−３）。そして、ブログサイト運営者端末３０を用いて、ブログサイト管理サーバ４０に、このアフィリエイトＩＤを送信する。具体的には、ブログサイト運営者端末３０のディスプレイに、図１４に示す表示画面６４０を表示させる。ここでは、先に取得したアフィリエイトＩＤを入力し、登録ブタンを選択すると、ブログサイト運営者端末３０は、ブログサイト管理サーバ４０に、このアフィリエイトＩＤを送信する。
【００７２】
ブログサイト管理サーバ４０は、ブログサイト運営者に対応させてアフィリエイトＩＤを格納する（ステップＳ３−４）。そして、ブログサイト運営者端末３０のディスプレイに、図１４に示す表示画面６５０を表示させる。これにより、ブログサイト運営者はアフィリエイトプログラムへの参加が可能になる。
【００７３】
次に、ＥＣ事業者による商品の登録について説明する。第２の実施形態においても、第１の実施形態と同様に、ＥＣ事業者システム１０は、商品データ記憶部１１に記録された商品データをアフィリエイト管理サーバ２０にアップロードする（ステップＳ３−５）。そして、この商品データを受信したアフィリエイト管理サーバ２０の管理コンピュータ２１は、ＸＭＬ形式のデータに変換する（ステップＳ３−６）。管理コンピュータ２１は、生成したＸＭＬ形式のデータをアフィリエイト商品データ記憶部２２に記録する（ステップＳ３−７）。
【００７４】
次に、ブログサイト運営者がアフィリエイト商品を紹介する場合には、ブログサイト運営者端末３０のディスプレイに、図１４に示す表示画面６６０を表示させ、ＡＦリンクボタンをクリックすることにより、ブログサイト運営者端末３０は、アフィリエイト管理サーバ２０にアクセスを行なう（ステップＳ３−８）。この後で、第１の実施形態と同様に商品の検索を行なう。そして、検索要求を受信したアフィリエイト管理サーバ２０の管理コンピュータ２１は、ＸＭＬ形式のデータをブログサイト運営者端末３０に提供する（ステップＳ３−９）。そして、ブログサイト運営者端末３０は、ブログサイト登録要求をブログサイト管理サーバ４０に送信する（ステップＳ３−１０）。ブログサイト登録要求を受信したブログサイト管理サーバ４０は、ブログサイト内容をアフィリエイトＩＤとともにデータ記憶部に格納する（ステップＳ３−１１）。
【００７５】
（商品の購入処理）
次に、ブログサイトの閲覧者が商品購入する場合の処理を図１２に従って説明する。
ブログサイトを閲覧する場合には、ユーザ端末５０を用いて、ブログサイト管理サーバ４０にアクセスする（ステップＳ４−１）。アフィリエイトプログラムを利用している場合には、アフィリエイト管理サーバ２０に送信する。本実施形態では、第１の実施形態とは異なり、ブログサイト運営者のブログサイトＩＤに代えて、アフィリエイトＩＤを付与したリクエストをアフィリエイト管理サーバ２０に送信する（ステップＳ４−２）。
【００７６】
このリクエストを受信したアフィリエイト管理サーバ２０の管理コンピュータ２１は、ＸＭＬ形式のデータを配信する（ステップＳ４−３）。ブログサイト管理サーバ４０は、アフィリエイト管理サーバ２０から取得した商品情報を、ブログサイトに添付しユーザ端末５０に送信する（ステップＳ４−４）。ブログサイト閲覧者が気に入った商品を見つけた場合には、ユーザ端末５０を用いて商品の選択・購入を行なう（ステップＳ４−５）。そして、ＥＣ事業者システム１０は、アフィリエイト管理サーバ２０に売上ログを送信する（ステップＳ４−６）。この売上ログは、アフィリエイトＩＤに対応した販売実績に関するデータを含む。そして、管理コンピュータ２１は、このブログサイトについての成約ログをアフィリエイト履歴データ記憶部２３に記録する。
【００７７】
次に、この売上ログを受信したアフィリエイト管理サーバ２０の管理コンピュータ２１が、ブログサイト運営者毎にログの集計を行なう（ステップＳ４−７）。アフィリエイト管理サーバ２０の管理コンピュータ２１は、このブログサイトＩＤ及び手数料に関するレポートを生成する（ステップＳ４−８）。そして、管理コンピュータ２１は、このレポートをブログサイト運営者端末３０に直接提供する。このレポートを受信したブログサイト運営者端末３０は、図１０に示す表示画面５９０をディスプレイに出力する（ステップＳ４−９）。
【００７８】
また、第１の実施形態と同様に、アフィリエイト管理サーバ２０の管理コンピュータ２１は手数料の請求を行なう（ステップＳ４−１０）。ＥＣ事業者システム１０は、この請求に基づいて手数料の支払処理を行なう（ステップＳ４−１１）。
【００７９】
本実施形態では、アフィリエイト管理サーバ２０の管理コンピュータ２１が、アフィリエイトデータ記憶部４２に記録されているアフィリエイトデータ４２０を用いて、各ブログサイト運営者の振込先に支払処理を行なう（ステップＳ４−１２）。そして、ブログサイト運営者端末３０は手数料の受取処理を行なう（ステップＳ４−１３）。
【００８０】
本実施形態によれば、以下のような効果を得ることができる。
・  本実施形態においては、アフィリエイトＩＤをアフィリエイト管理サーバ２０の管理コンピュータ２１が管理する。このため、この管理コンピュータ２１が、直接、ブログサイト運営者にレポートを提供したり、振込処理を行なったりすることができる。従って、ブログサイト管理サーバ４０の負荷を軽減しながら、ブログサイトとアフィリエイトプログラムとの連携を図ることができる。
【００８１】
・  本実施形態においては、アフィリエイトＩＤを利用して、アフィリエイトプログラムに参加することができる。このため、既にアフィリエイトＩＤを取得している者が、新たにブログサイトを運営する場合にも、効率的にアフィリエイト商品を提供することができる。
【００８２】
なお、上記各実施形態は以下のように変更してもよい。
○  上記実施形態では、ブログサイトにアフィリエイト商品を添付する場合に、検索要求を受信したアフィリエイト管理サーバ２０の管理コンピュータ２１は、ＸＭＬ形式のデータをブログサイト運営者端末３０に提供する。そして、ブログサイト運営者は、一覧表示の中からアフィリエイト商品を選択し、ブログサイト運営者端末３０からブログサイト登録要求をブログサイト管理サーバ４０に送信する。これに代えて、ブログサイト運営者に商品種別を選択させて、ブログサイト管理サーバ４０に登録してもよい。例えば、ブログサイト運営者が選択した商品種別の中でコミッションが最も高い商品を表示するように設定しておいてもよい。この場合には、ユーザ端末５０からのアクセスを受信したブログサイト管理サーバ４０は、このブログのコンテンツに含まれる商品種別データをアフィリエイト管理サーバ２０に送信する。そして、アフィリエイト管理サーバ２０の管理コンピュータ２１が、この商品種別について、アフィリエイト商品データ記憶部２２に記録された商品の中で最もコミッションが最も高い商品を抽出する。そして、管理コンピュータ２１が、このアフィリエイト商品に関する情報をブログサイトに返送する。ブログサイト管理サーバ４０は、この情報にアフィリエイト識別子を付与し、ブログコンテンツに添付してユーザ端末５０に提供する。同一の商品が複数のＥＣ事業者から提供され、またコミッションは状況に応じて変化する場合がある。このような場合にも、ブログサイト運営者にとって最も有利な商品を紹介することができる。
【図面の簡単な説明】
【００８３】
【図１】本発明の実施形態のシステム概略図。
【図２】（ａ）はアフィリエイト商品データ記憶部、（ｂ）はアフィリエイトデータ記憶部に記録されたデータの説明図。
【図３】第１の実施形態の処理手順の説明図。
【図４】第１の実施形態の処理手順の説明図。
【図５】ブログサイト運営者端末に表示された表示画面の説明図。
【図６】ブログサイト運営者端末に表示された表示画面の説明図。
【図７】ブログサイト運営者端末に表示された表示画面の説明図。
【図８】ブログサイト運営者端末に表示された表示画面の説明図。
【図９】ユーザ端末に表示された表示画面の説明図。
【図１０】ブログサイト運営者端末に表示された表示画面の説明図。
【図１１】第２の実施形態の処理手順の説明図。
【図１２】第２の実施形態の処理手順の説明図。
【図１３】ブログサイト運営者端末に表示された表示画面の説明図。
【図１４】ブログサイト運営者端末に表示された表示画面の説明図。
【符号の説明】
【００８４】
１０…ＥＣ事業者システム、２０…アフィリエイト管理サーバ、２１…管理コンピュータ、２２…アフィリエイト商品データ記憶手段としてのアフィリエイト商品データ記憶部、２３…履歴データ記憶手段としてのアフィリエイト履歴データ記憶部、３０…ブログサイト運営者端末、４０…ブログサイト管理サーバ、４２…アフィリエイトデータ記憶部、５０…ユーザ端末、Ｉ…ネットワークとしてのインターネット。
【図１】
2007058387.tif 000003
【図２】
2007058387.tif 000004
【図３】
2007058387.tif 000005
【図４】
2007058387.tif 000006
【図５】
2007058387.tif 000007
【図６】
2007058387.tif 000008
【図７】
2007058387.tif 000009
【図８】
2007058387.tif 000010
【図９】
2007058387.tif 000011
【図１０】
2007058387.tif 000012
【図１１】
2007058387.tif 000013
【図１２】
2007058387.tif 000014
【図１３】
2007058387.tif 000015
【図１４】
2007058387.tif 000016